(57)【要約】【技術課題】  既設のガス配管内に取り付けて使用することができると共に、取り付けコスト及び手数の軽減を図ることができる感熱ヒューズアダプターを提供する。【解決手段】  下部外周面に接続管６側に形成した雌ねじ６−２に螺合自在の雄ねじ１８を形成して成る円環部１６と、この円環部１６において、その上部を跨ぐように一体に形成されたコ字状の枠体１９と、前記円環部１６に形成された弁シート２０と、アダプター本体１１内に弁シート２０に対向するようにして支軸１３により組み込まれた遮断弁１２と、遮断弁１２の支軸１３の先端にハンダ製の感熱ヒューズナット１４をねじ込んで、遮断弁１２を枠体１９に固定する。この状態で火災が発生すると、この熱で感熱ヒューズナット１４が溶解し、遮断弁１２がコイルスプリング１５の力で下降し、弁シート２０に密着してガスを止める。【選択図】        図  ５
2006226425.tif 000002
【特許請求の範囲】
【請求項１】
下部外周面にガス配管側に形成した雌ねじに螺合自在の雄ねじを形成して成る円環部と、この円環部において、その上部中央を跨ぐように一体に形成されたコ字状の枠体と、前記円環部の内壁面内に形成された逆ハ字状の弁シートと、前記枠体の中央に形成された軸穴とから成るアダプター本体と、
前記アダプター本体の枠体内において、前記弁シートに対向するようにして枠体内に組み込まれた遮断弁と、
前記遮断弁の上面中央から上方に向けて突設した支軸を前記枠体の軸穴内に下方から貫通して突き抜けるように挿入すると共に、この支軸の先端から前記枠体の上面のところまでねじ込むことにより支軸の抜けを阻止して遮断弁を枠体内に保持する低温可溶材製の感熱ヒューズナットと、
前記遮断弁の上面と枠体の下面間において、前記支軸の周囲に取り付けられていて、前記感熱ヒューズナットが熱で溶解したときに、遮断弁を下方に賦勢しながら弁シートに圧着するコイルスプリングと、
から成る感熱ヒューズアダプター。
【請求項２】
前記低温可溶材として、ハンダ又はプラスチック材を用いて感熱ヒューズナットが形成されていることを特徴とする請求項１に記載の感熱ヒューズアダプター。
【請求項３】
遮断弁の上面には、枠体が収まる幅の割り溝が形成されていて、正常時は、この割り溝内に枠体の水平部が位置することにより、遮断弁はその位置が定められるように構成されていることを特徴とする請求項１に記載の感熱ヒューズアダプター。
【請求項４】
ガスメータの入側ガス管において、接続管の入口に取り付けられていることを特徴とする請求項１又は２に記載の感熱ヒューズアダプター。
【発明の詳細な説明】
【技術分野】
【０００１】
本発明は、火災発生時にガス配管を経由して供給されているガスを緊急に遮断する感熱ヒューズアダプターに関するものである。
【背景技術】
【０００２】
都市ガスの供給方式は、通常地下に埋設された金属製のガス管で需要家のところまで供給されたのち、この需要家のところでガス管を地上に立ち上げ、この立ち上げた先にガスメータを取り付けてガスの計量を行い、その上で鉄管或いは金属製のフレキシブル管を経由して家屋内に供給する方式が一般的である。
【０００３】
このため、需要家や地上に立ち上げたガス管或いはガスメータの近くで火災が発生した場合に、この火災によりガスメータの取り付け部やガスメータ以降のガス配管において溶損、折損等のトラブルが発生する心配がある。そこで、上記トラブルを未然に防止する目的で、火災の熱により作動してガスの供給を自動的に遮断する所謂感熱ヒューズアダプターと称されるものが各種提案されている。
この感熱ヒューズアダプターには、大きく分けて、熱を受けると膨張する熱膨張材を用いてガス流路を閉塞したり、遮断弁を駆動したりする方式と、ハンダ材で遮断弁を保持させておき、火災の熱でハンダ材が溶解するとスプリング又は自重で遮断弁が落下してガス流路を閉塞する方式に分類できる。
【０００４】
本件出願人は、ハンダ材を用いた感熱ヒューズアダプターとして、先に特願２００２−４２６８４号（特開２００３−２３６００６号）及び特願２００３−１５６３６号（特開２００４−２２５８３０号）並びに特願２００３−３０７８３号（特開２００４−２３６９４４号）を出願している。
【０００５】
このうち、特願２００２−４２６８４号に係る発明は、火災発生時に、ガスメータ廻りの配管中でガスを遮断することができ、既設配管にも取り付けが可能な感熱ヒューズアダプタとして、継手管２０内のガス流路２１に弁シート２２を形成し、前記継手管２０内の流路２１に、スプリング２９の力により前進して前記弁シート２２に密着する遮断弁２３を組み込み、遮断弁２３を前記スプリング２９に抗して後退させた状態でその前進を阻止し、火災時の熱で溶融することによって遮断弁２３の阻止を解除し、ガスの流出を緊急に遮断するハンダ製の制御部材３０を設けた構成である。
【０００６】
しかし、この公知例においては、次のような欠点がある。
１．継手管２０に弁シート２２を含む遮断弁２３、スプリング２９等を組み込み、継手    管２０は、ガス配管の一部として配管の途中に接続される構成であるため、この感熱    ヒューズアダプターを取り付ける場合には、ガス配管の途中を切り離し、ここに継手    管２０を挿入する必要がある。
このため、継手管２０は、その上流側と下流側の２ヶ所において切り離したガス配    管に接続する必要が生じるが、通常のねじ接合の場合は、ガス配管側は固定されてお    り、回転不能であることから、継手管２０を回転してねじ接合しなければならない。    更に、継手管２０の高さが増えるため、ガスメーターが取り付けられない場合がある    。
２．また、上下のねじの締め込み箇所が増えるため、接合強度や気密に不安が残る。
３．上記１、２の問題があるため、本公知例においては、継手管２０の上下を袋ナット    １４、３２を用いてガス配管側に接続する方式を採っているが、この分コスト高と取    り付け作業に手数がかかる。
【０００７】
４．感熱ヒューズアダプターは、通常ガスメータの入側のガス配管中に取り付けられる    ことから、このガスメータの入側に感熱ヒューズアダプターの継手管２０を接続する    と、ガスメータの出側との間に高低差が生じてしまうことから、この出側にも継手管    ２０と同じ長さのダミー管を取り付ける必要があり、コスト高になると共に手数がか    かる。
５．弁シート２２は継手管２０内のガス流路２１に形成されていて、遮断弁２３は止め    具を用いて継手管２０にあとで組み付けられるため、組み付けが面倒であると共に組    み付けの精度が悪いと、作動に不安が残る。
６．遮断弁２３は、ハンダ製の制御部材３０により駆動が阻止されているが、このハン    ダ製の制御部材３０が溶解を開始した場合に、一気に溶解する訳ではなく、変形→溶    解→落下（流下）したのちに遮断弁２３がスプリング２９により駆動して弁シート２    ２に密着する構成であるため、上記溶解した制御部材３０（ハンダ）の一部が弁シー    ト２３と遮断弁３０の密着面に挟雑物として残り、ガスの遮断が完全に行われない場    合が起こる不安がある。
【０００８】
次に、特願２００３−１５６３６号に係る発明は、感熱ヒューズアダプターにおいて、ガスの圧損及び部品数を少なくすると共に製作コストの低減を図り、遮断弁の作動の確実性を図るために、継手管２０内のガス流路２１に弁シート２５を形成し、この弁シート２５の上流側において、弁シート２５に対向して組み込まれた遮断弁２７は、左右の縦枠２８ａとこの縦枠２８ａの先端を水平枠２８ｂで一体につなぎ、コ字状を呈した狭幅の保持枠２８に対し、支持ピン２９を介して前進自在に取り付け、遮断弁２７は、水平枠２８ｂの中央部分において前記支持ピン２９に外装したコイルばね３１を圧縮した状態で、ハンダ部材３０で固定され、遮断弁２７は、火災が発生したときの熱で前記ハンダ部材３０が溶融すると、前記コイルばね３１の力で前進し、前記弁シート２５に密着してガスを瞬時に遮断する構成である。
しかし、この公知例においても、継手管２０内に、弁シート２２や遮断弁２３を組み付ける構成のため、上記した特願２００２−４２６８４号発明と同一の問題がある。但し、溶解したハンダが挟雑物化する心配は、この公知例においてはない。
【０００９】
次に、特願２００３−３０７８３号に係る発明は、感熱ヒューズアダプターにおいて、組立を簡単にすると共に確実に作動し、圧損を抑えることができ、製作コストの低減を可能にするため、アダプター本体２１のガス流路２２内に保持フレーム２７を用いて遮断弁３２を下向きに取り付けると共にこの遮断弁３２を保持ピン３６とハンダ部材３９を用いて保持フレーム２７に固定しておき、火災が発生すると、ハンダ部材３９が溶解して遮断弁３２は保持ピン３６にガイドされながら自重で落し、弁シート２３に密着してガスを遮断する構成である。
しかし、この公知例においても、アダプター本体２１は上記した特願２００２−４２６８４号に係る発明の継手管２０に相当することから、この特願２００２−４２６８４号発明と同一の問題が発生する。但し、溶解したハンダが挟雑物化する心配は、この公知例においてはない。
【特許文献１】特開２００３−２３６００６号公報
【特許文献２】特開２００４−２２５８３０号公報
【特許文献３】特開２００４−２３６９４４号公報
【発明の開示】
【発明が解決しようとする課題】
【００１０】
本発明は、上記したハンダ方式の感熱ヒューズアダプターの欠点を解消するのが目的であって、第1の目的は、既設のガス配管の接続部を一旦切り離し、この中に組み付けて使用できる感熱ヒューズアダプターを提供することである。
第２の目的は、コストが安く、取り付けが簡単な感熱ヒューズアダプターを提供することである。
【００１１】
第３の目的は、ダミー管を用いることなくガス配管中に取り付けることができる感熱ヒューズアダプターを提供することである。
第４の目的は、弁シートと遮断弁とが確実に密着する高精度に組み立てられた感熱ヒューズアダプターを提供することである。
第５の目的は、ハンダが弁シートと遮断弁との密着面に挟雑物として残らない感熱ヒューズアダプターを提供することである。
【課題を解決するための手段】
【００１２】
上記目的を達成するため、請求項１に記載の発明においては、感熱ヒューズアダプターにおいて、下部外周面にガス配管側に形成した雌ねじに螺合自在の雄ねじを形成して成る円環部と、この円環部において、その上部中央を跨ぐように一体に形成されたコ字状の枠体と、前記円環部の内壁面内に形成された逆ハ字状の弁シートと、前記枠体の中央に形成された軸穴とから成るアダプター本体と、
前記アダプター本体の枠体内において、前記弁シートに対向するようにして枠体内に組み込まれた遮断弁と、
前記遮断弁の上面中央から上方に向けて突設した支軸を前記枠体の軸穴内に下方から貫通して突き抜けるように挿入すると共に、この支軸の先端から前記枠体の上面のところまでねじ込むことにより支軸の抜けを阻止して遮断弁を枠体内に保持するハンダ又はプラスチック材等の低温可溶材製の感熱ヒューズナットと、
前記遮断弁の上面と枠体の下面間において、前記支軸の周囲に取り付けられていて、前記感熱ヒューズナットが熱で溶解したときに、遮断弁を下方に賦勢しながら弁シートに圧着するコイルスプリングと、
から成ることを特徴とするものである。
【００１３】
更に、請求項２に記載の発明においては、請求項１に記載の感熱ヒューズアダプターにおいて、前記低温可溶材として、ハンダ又はプラスチック材を用いて感熱ヒューズナットが形成されていることを特徴とするものである。
【００１４】
更に、請求項３に記載の発明においては、請求項１に記載の感熱ヒューズアダプターにおいて、遮断弁の上面には、枠体が収まる幅の割り溝が形成されていて、正常時は、この割り溝内に枠体の水平部が位置することにより、遮断弁はその位置が定められるように構成されていることを特徴とするものである。
【００１５】
更に、請求項４に記載の発明においては、請求項１又は２に記載の感熱ヒューズアダプターにおいて、ガスメータの入側ガス管において、接続管の入口に取り付けられていることを特徴とするものである。
【００１６】
[作用]
感熱ヒューズアダプターをガス配管中に取り付ける場合には、ガス配管の接続部のねじを弛めてガス配管の接続部を切り離し、アダプター本体の雄ねじをガス配管側に切設した雌ねじ内にねじ込むと、感熱ヒューズアダプターをガス配管の流路中に取り付けることが出来る。この取り付け後は、再度切り離したガス配管同士を接続することにより、感熱ヒューズアダプターはガス配管に内蔵された状態で組み込まれ、外見的には見えなくなる。
この状態で、火災の熱を受けると、ガス配管を経由して火災の熱が低温可溶材製の感熱ヒューズナットに伝わり、一定温度以上になると、この感熱ヒューズナットが溶解する。このようにして感熱ヒューズナットが溶解すると、感熱ヒューズナットで止められていた弁軸が開放されるため、弁軸はフリーとなり、遮断弁は自重及びスプリングの力で下降し、弁シートに密着してガス流路を閉塞し、ガスの流れを遮断する。
ガスの流れを再開する場合には、ガス配管の接続を切り離してガス流路内の感熱ヒューズアダプターを露出させ、弁軸の先端を摘んで引き上げ、弁軸の先端側のねじに新規の感熱ヒューズナットをねじ込み、弁軸の落下を止める。この結果、遮断弁は作動前の状態に戻る。
【発明の効果】
【００１７】
本発明に係る感熱ヒューズアダプターは以上の如き構成と作用により、次の効果を奏する。
１．感熱ヒューズアダプターは、ガス配管の流路中に組み込む方式のため、既設のガス    配管中に、独立したアダプター側の継手管を接続する必要がない。この結果、取り付    けが簡単であると共に、コストもかからない。
２．遮断弁は、弁軸で枠体に保持され、作動時には枠体によりその下降がガイドされる    ため、確実に弁シートに密着する。この結果、ガスを確実に遮断することが出来ると    共に遮断弁はコイルスプリングで弁シートに圧着されるため、衝撃でずれたりする心    配がない。この結果、信頼性と安全性の高い感熱ヒューズアダプターを得ることが出    来る。
３．遮断弁は、弁軸を介して、低温可溶材製の感熱ヒューズナットで保持する方式のた    め、この感熱ヒューズナットが溶解しても、挟雑物化することがない。この結果、遮    断不良に基づくガスの流出の心配がない。
【発明を実施するための最良の形態】
【００１８】
本発明の実施の形態を図１〜図６に基づいて詳細に説明する。図１（Ａ）（Ｂ）は、本発明に係る感熱ヒューズアダプターを、ガスメータの入側配管の接続管内に組み込んだ例の説明図、図２は、感熱ヒューズアダプターと接続管の分解説明図、図３は、図２において、接続管の下端に袋ナット（ユニオンナット）を取り付けた状態の説明図、図４（Ａ）（Ｂ）（Ｃ）は、組み立てを終えた状態の感熱ヒューズアダプターの説明図、図５（Ａ）（Ｂ）は、感熱ヒューズアダプターを接続管に取り付けた状態、図６（Ａ）（Ｂ）は、感熱ヒューズアダプターが作動した状態の説明図である。
【００１９】
図１（Ａ）（Ｂ）において、１は地中に埋設されたガスの供給配管を立ち上げた入側ガス管、２はガスメータ３の出側ガス管であって、ガスメータ３は、入側と出側ガス管１、２の上端をエルボ管４、４ａ、曲管５、５ａを用いて下向きに引き廻した先に、接続管６、６ａを接続し、この接続管６、６ａの下端に袋ナット７、７ａを用いてその入側口金３ａ、出側口金３ｂをそれぞれ接続することにより吊設される。図１において、８は入側ガス管１に取り付けられた元栓、９は出側ガス管２に取り付けられた試験口である。
上記ガスメータ３の配管廻りにおいて、入側ガス管１から供給された都市ガスは、エルボ４→曲管５→入側接続管６→入側口金３ａを経由してガスメータ３内に入り、計量後、出側口金３ｂ→出側接続管６ａ→出側曲管５ａ→エルボ４ａ→出側ガス管２を経由して屋内に供給される。
【００２０】
本発明の感熱ヒューズアダプターは、上記ガスメータ３の配管廻りにおいて、入側接続管６において、入側曲管５との接続口６−１内に組み込まれる。この感熱ヒューズアダプター１０は、図２に示すように、アダプター本体１１、遮断弁１２、支軸１３、ハンダ製の感熱ヒューズナット１４、コイルスプリング１５から成る。そして、入側接続管６の接続口６−１内には、アダプター取付用の雌ねじ６−２が切設されている。
なお、感熱ヒューズナット１４は、本実施の形態ではハンダ材で成形しているが、この他、火災発生時に、この熱で溶解する低温可溶材ならば、例えば、プラスチック材を用いて成形し、用いることができる。
【００２１】
アダプター本体１１は、下部１７の外周面に接続管６の接続口６−１に形成した雌ねじ６−２に螺合自在の雄ねじ１８を形成して成る円環部１６と、この円環部１６において、その上部中央を跨ぐように一体に形成されたコ字状の枠体１９と、前記円環部１６の上部入口に形成された逆ハ字状の弁シート２０と、前記枠体１９の水平部１９ａの中央に形成された軸穴２１とから成る。
図２において、６−３は接続管６を曲管５に接続するためのテーパねじである。
【００２２】
前記遮断弁１２は、アダプター本体１１の枠体１９内において、前記弁シート２０に対向するようにして枠体１９に組み込まれていて、この遮断弁１２には、上面中央を横切るように形成された割り溝２４の中央に設けたスプリング収容穴２５の底に切設した固定ねじ穴に支軸１３の下端に形成したねじ２７をねじ込み、かつ、前記枠体１９の軸穴２１内に下方から貫通して突き抜けるように挿入し、先端に形成したねじ２８を形成した支軸１３が取り付けてあり、この支軸１３のねじ２８に前記枠体１９の上面１９ａのところまでハンダ製の感熱ヒューズナット１４をねじ込むことにより、アダプター本体１１に取り付けられている。２３は遮断弁１２に形成した逆円錐状の密着面である。
【００２３】
コイルスプリング１５は、前記遮断弁１２の割り溝２４と枠体１９の下面間において、前記支軸１３の周囲に取り付けられていて、前記感熱ヒューズナット１４が熱で溶解したときに、遮断弁１２を下方に賦勢しながら弁シート２０に圧着する。
図４（Ａ）〜（Ｃ）は、組み立ての終了した感熱ヒューズアダプターを示すものである。
【００２４】
図２において、６−４は、接続管６の下端に形成した入側口金３ａとの接続口６−５の外側に形成された袋ナット７の係合部であって、図１で示した袋ナット７は、この係合部６−４に回転フリーに係合し、袋ナット７内にガスメータ３の入側口金３ａを受け入れて前記接合口６−５に嵌合させたのち、袋ナット７を入側口金３ａの外周面に形成した雄ねじに螺合させて締め付けることにより、ガスメータ３を図１に示すように接続管６、６ａに吊設する。
なお、ここまでは、ガスメータ３の入側について説明したが、出側については、感熱ヒューズアダプター１０の組み込みがない以外、同様にして接続管６ａは接続される。
【００２５】
図５は（Ａ）（Ｂ）は、接続管６の入口６−１に感熱ヒューズアダプター１０を組み込んだ状態を示し、正常時である。一方、図６（Ａ）（Ｂ）は、火災の熱で感熱ヒューズナット１４が溶解し、支軸１３が解放され、コイルスプリング１５の力で遮断弁１２が下降して弁シート２０に密着してガスの流れを遮断した状態を示しており、遮断弁１２の支軸１３は、枠体１９の軸穴２１にガイドされて下降時にセンターずれが生じない。
なお、上記実施の形態において、接続管６の入口６−１内に感熱ヒューズアダプター１０を取り付ける手段として、雌ねじ６−２に雄ねじ１８をねじ込んで締め付ける方式を採用しているが、このようなねじ方式ではなく、アダプター本体１１の下部１６を直接接続管６の入口６−１に嵌め込んで感熱ヒューズアダプター１０を取り付けるようにしてもよい。
また、本実施の形態は、接続管６のところに感熱ヒューズアダプター１０を取り付けているが、ガスメータ廻りではなく、ガス配管において、火災時に熱を受ける部分に、任意に取り付けてもよく、本発明の感熱ヒューズアダプターは、ガスメータ３の接続管６のところにのみ取り付けられるものに限定されない。
上記実施の形態において、感熱ヒューズアダプター１０の材質は、感熱ヒューズナット１４以外、すべて鉄製である。
【産業上の利用可能性】
【００２６】
本発明に係る感熱ヒューズアダプターは、都市ガスの供給配管又はＬＰガス供給配管又は各種プラント、機器の配管中に取り付けて、ガス又はその他の気体を火災発生時に緊急遮断する時に用いることができる。
【図面の簡単な説明】
【００２７】
【図１】（Ａ）は配管に取り付けられたガスメータの正面図、（Ｂ）は側面図
【図２】感熱ヒューズアダプターと接続管の分解説明図
【図３】袋ナットを取り付けた接続管と感熱ヒューズアダプターの分解説明図
【図４】感熱ヒューズアダプターにおいて、組み立てを終了した状態を示すもので、（Ａ）は平面図、（Ｂ）は断面図、（Ｃ）は下面図
【図５】接続管に感熱ヒューズアダプターを取り付けた状態を示すもので、（Ａ）は平面図、（Ｂ）は断面図
【図６】感熱ヒューズアダプターが作動した状態を示すもので、（Ａ）は平面図、（Ｂ）は断面図
【符号の説明】
【００２８】
１  入側ガス管
２  出側ガス管
３  ガスメータ
６  接続管
１０  感熱ヒューズアダプター
１１  アダプター本体
１２  遮断弁
１３  支軸
１４  ハンダ製の感熱ヒューズナット
１５  コイルスプリング
【図５】
2006226425.tif 000003
【図６】
2006226425.tif 000004
【図１】
2006226425.tif 000005
【図２】
2006226425.tif 000006
【図３】
2006226425.tif 000007
【図４】
2006226425.tif 000008